(57)【要約】【課題】別個な通信機器を設置することなく、試運転の結果を端末装置に容易に表示させることのできる機器情報管理システムを提供する。【解決手段】リモコン制御部５５と、リモコン表示部５２とを備えたリモコン５０と、端末制御部６３と、リモコン５０のリモコン表示部５２との可視光通信を行うカメラ６１（受光部）と、端末表示部６０とを備えた端末装置５と、を備え、端末装置５は、リモコン制御部５５がリモコン表示部５２の発光制御を行うことで、リモコン表示部５２から可視光通信により送られる試運転情報をカメラ６１で受信して試運転情報を取得し、端末制御部６３は、試運転情報に基づいて試運転結果が正常か否かを判断し、この試運転結果の判断結果を端末表示部６０に表示させる。【選択図】図２
2018197617.tif 000002
【特許請求の範囲】
【請求項１】
機器制御部と、機器通信部とを備えた機器と、
端末制御部と、前記機器と通信を行う端末通信部と、端末表示部とを備えた端末装置と、を備え、
前記端末装置は、前記機器制御部から前記機器通信部により送られる試運転情報を前記端末通信部により受信して試運転情報を取得し、
前記端末制御部は、前記試運転情報に基づいて試運転結果が正常か否かを判断し、この試運転結果の判断結果を前記端末表示部に表示させることを特徴とする機器情報管理システム。
【請求項２】
前記機器通信は発光部であり、前記端末通信部は、前記機器の前記発光部との可視光通信を行う受光部であり、
前記端末装置は、前記機器制御部が前記発光部の発光制御を行うことで、前記発光部から可視光通信により送られる試運転情報を前記受光部で受信して試運転情報を取得することを特徴とする請求項１に記載の機器情報管理システム。
【請求項３】
前記機器は、空気調和装置のリモコンであることを特徴とする請求項１または請求項２に記載の機器情報管理システム。
【請求項４】
前記機器制御部は、前記空気調和装置のリモコンに設けられたリモコン制御部であり、前記発光部は、前記リモコンに設けられたリモコン表示部であることを特徴とする請求項３に記載の機器情報管理システム。
【請求項５】
前記端末装置は、試運転結果が正常か否かを判断するためのしきい値を定めたテーブルを備え、
前記端末制御部は、前記テーブルのしきい値に基づいて、前記試運転情報に基づいて試運転結果が正常か否かを判断することを特徴とする請求項１から請求項４のいずれか一項に記載の機器情報管理システム。
【請求項６】
前記端末制御部は、試運転情報がしきい値内になく、試運転結果が異常であると判断した場合は、試運転結果が異常となった要因を端末表示部に表示させることを特徴とする請求項５に記載の機器情報管理システム。
【請求項７】
前記端末装置と通信可能なクラウドサーバを備え、前記端末装置は、前記試運転の結果を前記クラウドサーバに送り、前記クラウドサーバは、前記試運転の結果を記憶することを特徴とする請求項１から請求項６のいずれか一項に記載の機器情報管理システム。
【請求項８】
前記端末装置は、スマートフォンまたはタブレット端末であり、前記受光部は、前記スマートフォンまたはタブレット端末に搭載されたカメラであることを特徴とする請求項１から請求項７のいずれか一項に記載の機器情報管理システム。
【発明の詳細な説明】
【技術分野】
【０００１】
本発明は、機器情報管理システムに係り、特に、端末装置で試運転情報を容易に取得することを可能とした機器情報管理システムに関する。
【背景技術】
【０００２】
従来から、例えば、空気調和装置においては、リモコンを用いて各種表示や操作を行うようにしている。
そして、従来、例えば、基本画面（１１０）には、メッセージを表示するメッセージ表示欄が設けられており、制御部（２０）は、空気調和装置から異常を通知する異常通知信号入力を受けていないとき、メッセージ表示欄には何も表示させず、制御部（２０）は、空気調和装置から異常通知信号入力を受け確定手段（１５）による１回操作入力を求める文字メッセージをメッセージ表示欄に表示させた後、確定手段（１５）による１回操作入力を受けたとき、表示部（１１）の画面を他の画面（１１２）へ切り替えて異常通知信号入力に対応する異常についてユーザーが必要とする複数の情報から成る異常時対応情報（１３１）を表示部（１１）に一括表示させるようにした技術が開示されている（例えば、特許文献１を参照。）。
【先行技術文献】
【特許文献】
【０００３】
【特許文献１】特許第４８２０３１３号公報
【発明の概要】
【発明が解決しようとする課題】
【０００４】
前記特許文献１の技術においては、異常時にリモコンにメッセージを表示させることはできる。
しかしながら、前記特許文献１の技術では、メンテナンス作業者が空気調和装置の設置などを行い、その試運転を行う場合に、試運転の結果が正常であるか否かを判断するものではない。また、近年、メンテナンス作業者は、携帯可能な端末装置を用いたサービスを行うことが多く、前述の試運転の結果についても、リモコンから端末装置に送信して端末装置に表示できるようにした方が便利である。
また、リモコンと端末装置との通信を行う場合、例えば、ＲＦＩＤやＢｌｕｅｔｏｏｔｈ（登録商標）などの近距離通信を用いることができるが、このような近距離通信を行う場合には、送信をする機器に専用の送信機器を設置する必要があり、受信する端末装置にも専用に受信機器を設ける必要があり、設備コストが増大してしまうという問題を有している。
また、既存の機器に新たな通信機器を追加して設置することは、機器の構造上、困難な場合があり、やはり設備コストがかかってしまうという問題がある。
【０００５】
本発明は前記した点に鑑みてなされたものであり、別個な通信機器を設置することなく、試運転の結果を端末装置に容易に表示させることのできる機器情報管理システムを提供することを目的とする。
【課題を解決するための手段】
【０００６】
前記目的を達成するため本発明は、機器制御部と、発光部とを備えた機器と、端末制御部と、前記機器の前記発光部との可視光通信を行う受光部と、端末表示部とを備えた端末装置と、を備え、前記端末装置は、前記機器制御部が前記発光部の発光制御を行うことで、前記発光部から可視光通信により送られる試運転情報を前記受光部で受信して試運転情報を取得し、前記端末制御部は、前記試運転情報に基づいて試運転結果が正常か否かを判断し、この試運転結果の判断結果を前記端末表示部に表示させることを特徴とする。
本発明によれば、空気調和装置の試運転の結果を端末装置の端末表示部に表示させることができるので、メンテナンス作業者は試運転の結果を容易に認識することができる。
【発明の効果】
【０００７】
本発明によれば、空気調和装置の試運転の結果を端末装置の端末表示部に表示させることができるので、メンテナンス作業者は試運転の結果を容易に認識することができる。しかも、リモコンと端末装置との通信に可視光通信を用いるようにしているので、別個な通信機器を設置する必要がなく、製造コストの低減を図ることができる。
【図面の簡単な説明】
【０００８】
【図１】本発明を適用した空気調和装置の実施形態を示す構成図。
【図２】本実施形態の機器情報管理システムの概略図。
【図３】本実施形態の制御構成を示すブロック図。
【図４】本実施形態の試運転モード時における送受信の概略を示す図。
【図５】本実施形態の試運転状態における各機器の状態を示すタイムチャート。
【図６】本実施形態のしきい値を定めたテーブルの一例を示した図。
【図７】本実施形態の試運転の結果が正常と判断される場合の例を示す図。
【図８】本実施形態の動作を示すフローチャート。
【発明を実施するための形態】
【０００９】
第１の発明は、機器制御部と、機器通信部とを備えた機器と、端末制御部と、前記機器と通信を行う端末通信部と、端末表示部とを備えた端末装置とを備え、前記端末装置は、前記機器制御部から前記機器通信部により送られる試運転情報を前記端末通信部により受信して試運転情報を取得し、前記端末制御部は、前記試運転情報に基づいて試運転結果が正常か否かを判断し、この試運転結果の判断結果を前記端末表示部に表示させる。
これによれば、空気調和装置の試運転の結果を端末装置の端末表示部に表示させることができるので、メンテナンス作業者は試運転の結果を容易に認識することができる。
【００１０】
第２の発明は、前記機器通信は発光部であり、前記端末通信部は、前記機器の前記発光部との可視光通信を行う受光部であり、前記端末装置は、前記機器制御部が前記発光部の発光制御を行うことで、前記発光部から可視光通信により送られる試運転情報を前記受光部で受信して試運転情報を取得する。
これによれば、空気調和装置の試運転の結果を端末装置の端末表示部に表示させることができるので、メンテナンス作業者は試運転の結果を容易に認識することができる。しかも、リモコンと端末装置との通信に可視光通信を用いるようにしているので、別個な通信機器を設置する必要がなく、製造コストが増大することもない。
【００１１】
第３の発明は、機器は、空気調和装置のリモコンである。
これによれば、空気調和装置のリモコンから端末装置に試運転情報を送信することができる。
【００１２】
第４の発明は、前記機器制御部は、前記空気調和装置のリモコンに設けられたリモコン制御部であり、前記発光部は、前記リモコンに設けられたリモコン表示部である。
これによれば、リモコン表示部を明滅発光させることで、端末装置に可視光通信により試運転情報を送信することができる。
【００１３】
第５の発明は、前記端末装置は、試運転結果が正常か否かを判断するためのしきい値を定めたテーブルを備え、前記端末制御部は、前記テーブルのしきい値に基づいて、前記試運転情報に基づいて試運転結果が正常か否かを判断する。
これによれば、テーブルにより容易に試運転結果が正常か否かを判断することができる。
【００１４】
第６の発明は、前記端末制御部は、試運転情報がしきい値内になく、試運転結果が異常であると判断した場合は、試運転結果が異常となった要因を端末表示部に表示させる。
これによれば、試運転結果が異常となった要因を表示するので、メンテナンス作業者が試運転結果が異常となった要因を把握することができ、異常となった箇所に集中してメンテナンスを行うことができる。その結果、メンテナンス作業者の経験にかかわらず、的確な作業を行うことができ、さらに、メンテナンス作業を効率よく行うことができる。
【００１５】
第７の発明は、前記端末装置と通信可能なクラウドサーバを備え、前記端末装置は、前記試運転の結果を前記クラウドサーバに送り、前記クラウドサーバは、前記試運転の結果を記憶する。
これによれば、クラウドサーバに試運転の結果を蓄積することができる。
【００１６】
第８の発明は、前記端末装置は、スマートフォンまたはタブレット端末であり、前記受光部は、前記スマートフォンまたはタブレット端末に搭載されたカメラである。
これによれば、端末装置のカメラを受光部として利用することができるので、端末装置に別個に受光部を設置する必要がなく、設備コストの低減を図ることができる。
【００１７】
以下、本発明に係る機器情報管理システムの実施形態について、図面を参照して説明する。
図１は、本発明に係る機器情報管理システムを適用する空気調和装置の実施形態を示す構成図である。
図１に示す空気調和装置１は、室外機２と、複数の室内機３とを備えている。
本実施形態においては、１台の室外機２に対して、２台の室内機３，３がそれぞれ接続された構成となっている。
【００１８】
室外機２は、圧縮機１０を備えている。圧縮機１０の吸入側には、圧縮機１０にガス冷媒を供給する気液分離器１１が接続されており、圧縮機１０の吐出側には、オイルセパレータ１２を介して四方弁１３が接続されている。四方弁１３には、室外送風ファン１４を備えた室外熱交換器１５が接続されている。室外熱交換器１５は、室外送風ファン１４により送られる空気と冷媒とが熱交換するよう構成されている。
また、室外熱交換器１５には、室外膨張弁１６が接続されている。
【００１９】
室外膨張弁１６および四方弁１３には、冷媒配管１７を介して複数の室内機３が接続されている。各室内機３は、室内送風ファン２０を備えた室内熱交換器２１を備えており、室内熱交換器２１の一側には、室内膨張弁２２が接続されている。
【００２０】
また、室外機２は、室外制御部３０を備えている。室外機２の圧縮機１０の冷媒吸込側には、圧縮機１０に流入する冷媒圧力を検出する低圧センサ３１が設けられており、圧縮機１０の冷媒吐出側には、圧縮機１０から吐出される冷媒圧力を検出する高圧センサ３２が設けられている。さらに、圧縮機１０の冷媒吐出側には、冷媒の吐出温度を検出する室外冷媒温度センサ３３が設けられており、室外機２には、外気温を検出する外気温センサ３４が設けられている。
また、室内機３は、室内制御部４０を備えている。室内機３の室内熱交換器２１の両側には、冷媒の温度を検出する室内冷媒温度センサ４１が設けられている。
また、室内機３の室内には、運転のＯＮ・ＯＦＦや室内の温度設定などを操作するためのリモコン５０が設置されている。リモコン５０には、室内の温度を検出する室温センサ４２が設けられている。
【００２１】
図２は、本発明の実施形態を示す機器情報管理システムの概略図である。
図２に示すように、機器情報管理システムは、空気調和装置１と、端末装置５と、サーバとしてのクラウドサーバ６とを備えている。
空気調和装置１は、室外機２と、室外機２に接続された複数の室内機３と、リモコン５０とを備えている。
【００２２】
また、室内機３は、化粧パネル２３を備えており、化粧パネル２３の中央部分には、空気の吸込口２４が設けられ、化粧パネル２３には、各辺に沿って吹出し口２５が設けられている。吹出し口２５には、空気の風向を調整するためのフラップ２６が揺動自在に設けられている。そして、室内送風ファン２０を駆動することで、吸込口２４から室内空気を取り込み、室内熱交換器２１で熱交換した後の空気を吹出し口２５から室内に送風するように構成されている。
【００２３】
また、リモコン５０は、室内の壁面などの設置される箱型の本体５１を備えている。本体５１の前面には、例えば、液晶表示パネルなどからなるリモコン表示部５２が設けられている。リモコン表示部５２の下方には、使用者が運転の開始または停止操作、メニュー操作、カーソルキー操作などを行うための複数の操作ボタン５３が設けられている。
本体５１の前面右下には、例えば、空気調和装置１の運転状態を表示するためのＬＥＤなどからなる表示ランプ５４が設けられている。
【００２４】
また、端末装置５は、例えば、液晶表示パネルなどからなる端末表示部６０を備えている。本実施形態においては、端末装置５としては、例えば、スマートフォンやタブレット端末などが用いられる。端末装置５は、リモコン表示部５２により発光される光を受光するための受光部としてのカメラ６１を備えている。
端末装置５は、端末操作部６２を備えている。本実施形態においては、端末表示部６０は、タッチパネル機能を有しており、端末操作部６２は、端末表示部６０をタッチ操作することで、所定の操作を行うことができるように構成されている。
【００２５】
次に、本実施形態の制御構成について説明する。
図３は本実施形態の制御構成を示すブロック図である。
図３に示すように、リモコン５０は、機器制御部としてのリモコン制御部５５を備えている。また、リモコン５０の内部には、室内の温度を検出するための室温センサ４２が設けられており、リモコン５０の内部には、所定の情報を記憶させるためのリモコン用メモリ５６が設けられている。
リモコン制御部５５は、操作ボタン５３による運転の開始操作、冷房運転あるいは暖房運転などの運転切替操作、設定温度操作などの各種操作信号に応じて、リモコン表示部５２の表示制御およびリモコン表示部５２の明滅制御を行う。また、リモコン制御部５５は、室温センサ４２による室温の検出値に基づいて、室内機３の室内制御部４０に運転制御信号を出力するように構成されている。
【００２６】
また、室内機３は室内制御部４０を備えている。室内制御部４０は、リモコン制御部５５からの駆動制御信号に基づいて、室内膨張弁２２の開度制御、室内送風ファン２０の駆動制御やフラップ２６の駆動制御を行うように構成されている。
また、室外機２は室外制御部３０を備えている。室内制御部４０は、室外制御部３０に運転制御信号を出力するように構成されており、室外制御部３０は、室内制御部４０から送られる運転制御信号および外気温センサ３４、低圧センサ３１、高圧センサ３２、室外冷媒温度センサ３３による検出値に基づいて、圧縮機１０の駆動周波数、室外膨張弁１６、室外送風ファン１４の駆動制御を行うように構成されている。
本実施形態においては、リモコン制御部５５は、室内制御部４０および室外制御部３０による制御を統括して管理するように構成されている。
【００２７】
また、室外制御部３０は、圧縮機１０の駆動周波数情報、外気温センサ３４による外気温情報、低圧センサ３１による圧縮機１０の吸込側の冷媒圧力情報、高圧センサ３２による圧縮機１０の吐出側の冷媒圧力情報、冷媒温度センサによる圧縮機１０の吐出側の冷媒温度情報をリモコン制御部５５に送り、リモコン制御部５５は、これらの情報をリモコン用メモリ５６に逐次記憶させておく。
また、室内制御部４０は、室温センサ４２による室温情報、室内冷媒温度センサ４１による冷媒温度情報をリモコン制御部５５に送り、リモコン制御部５５は、これらの情報をリモコン用メモリ５６に逐次記憶させておく。
また、リモコン用メモリ５６には、あらかじめ設定されている空気調和装置１の固有のＩＤ情報、具体的には、製造番号、機種名があらかじめ記憶されている。ＩＤ情報は、システム情報として管理される。
【００２８】
端末装置５は、端末制御部６３を備えている。端末装置５は、所定の情報を記憶させるための端末用メモリ６４を備えている。また、端末装置５は、通信部６５を備えており、通信部６５により、ネットワークを通じてクラウドサーバ６と通信可能に構成されている。
また、端末装置５は、リモコン５０のリモコン表示部５２からの光信号をカメラ６１が備えているイメージセンサを介して受光することができるように構成されている。
リモコン用メモリ５６には、リモコン表示部５２から光信号を明滅発光するためのプログラムが記憶されており、リモコン制御部５５は、このプログラムを読み込んで実行することにより、リモコン表示部５２を明滅発光させてリモコン用メモリ５６に記憶されている各種情報を送信することができるように構成されている。
このような発光による送信を行う場合の操作は、例えば、発光による送信を行うための操作ボタン５３の押動操作順をあらかじめ設定しておき、使用者が操作ボタン５３を設定された順序で押動操作することにより、リモコン制御部５５によりリモコン表示部５２を制御して明滅発光による送信が行われるようになっている。
【００２９】
また、端末制御部６３は、リモコン表示部５２の発光による送信をカメラ６１で受光することで、リモコン表示部５２の発光により送信された各種情報を取得することができるように構成されている。
なお、端末用メモリ６４には、リモコン表示部５２の発光による可視光通信をカメラ６１で受光するためのプログラムが記憶されており、端末制御部６３は、このプログラムを読み込んで実行することにより、リモコン５０から各種情報を取得することができる。このプログラムは、端末装置５として、スマートフォンまたはタブレット端末を用いる場合は、専用アプリケーションをネットワークを介してダウンロードすることで、取得することが可能である。
【００３０】
このようなリモコン５０のリモコン表示部５２により情報を送信する手段としては、例えば、可視光通信と呼ばれる技術が用いられる。
例えば、文献、「イメージセンサ受信型可視光通信技術の開発（Panasonic Technical Journal Vol.61 No.2 Nov.2015）」に開示されている技術が用いられる。このような可視光通信技術は、ＬＥＤ光源を高速明滅させることで、種々の情報を高速で送信することができる可視光通信技術である。具体的には、例えば、ＬＥＤ光源を高速で明滅させることで、１２８ｂｉｔの情報を０．３秒で送信することができる。
【００３１】
また、本実施形態においては、空気調和装置１は、試運転を行う試運転モードを備えている。試運転モードは、あらかじめ設定された試運転の制御を行うものであり、リモコン５０に設けられた試運転スイッチ（図示せず）を操作することで行われる。この場合、室内機３が複数ある場合、１台の室内機３のリモコン５０により試運転スイッチが操作された場合、他のすべての室内機３も運転開始するように構成されている。
【００３２】
図４は、試運転モード時における室外機２の室外制御部３０とリモコン制御部５５と端末制御部６３とクラウドサーバ６との信号あるいは情報の送受信の概略を示す図である。
図４に示すように、使用者がリモコンの試運転ボタンを操作すると、リモコン制御部５５から室外機２に試運転開始信号が送信され、これにより、室外制御部３０による制御信号により停止していた室外機２が試運転を開始する。試運転を開始すると、室外制御部３０から試運転開始信号がリモコンに送信され、リモコン制御部５５によりリモコン表示部に試運転を行っている旨を表示させる。
【００３３】
リモコン制御部５５は、室外制御部３０に対して進捗状態を確認し、室外機２が安定運転となったか否かを確認する。なお、安定運転については、後述する。
室外機２の運転が安定したと判断した場合、リモコン制御部５５は、室外制御部３０に情報要求を行い、室外制御部３０は、システム情報および圧縮機１０の駆動周波数、冷媒の低圧圧力、高圧圧力、冷媒の吐出温度などの試運転情報をリモコン制御部５５に送信する。
また、リモコン制御部５５は、室内機３から、室内機３の吹出温度情報、室内冷媒温度センサ４１による冷媒温度情報、室内膨張弁２２の開度情報などの試運転情報を取得しておく。
【００３４】
リモコン制御部５５は、システム情報および試運転情報を端末装置５に送信し、端末制御部６３は、試運転情報に基づいて、試運転の結果が正常であるか異常であるか判断する。
端末制御部６３は、試運転結果を端末表示部６０に表示させるとともに、クラウドサーバ６に試運転結果を送信し、クラウドサーバ６に保存する。
【００３５】
一方、リモコン制御部５５は、試運転情報を端末装置５に送信した後、試運転の終了指示を室外機２に送信し、試運転の表示を消去する。室外制御部３０は、試運転の終了指示を受信したら、試運転を終了する。
【００３６】
図５は、試運転状態における各機器の状態を示すタイムチャートである。
図５に示すように、試運転を開始すると、リモコン５０はＯＮ、室内機３はサーモＯＮ、室外機２はＯＮとなり、圧縮機１０が所定の駆動周波数で駆動制御される。このとき、除霜などの特別な制御は行わず、圧縮機１０の駆動周波数は、下限を制限して所定の駆動周波数以下とならないように制御する。
この状態で、リモコン制御部５５は、圧縮機１０の吐出側の高圧圧力および冷媒の吐出温度を監視し、この高圧圧力および吐出温度の変化が少なくなった場合に、試運転が安定したと判断する。
【００３７】
そして、圧縮機１０の運転が安定したと判断した場合、リモコン制御部５５は、圧縮機１０の駆動周波数、冷媒の低圧圧力、高圧圧力、冷媒の吐出温度を取得し、試運転情報として端末装置５に送信する。この試運転情報の端末装置５への送信は、リモコン５０のリモコン表示部５２の明滅による可視光通信により行われる。
端末制御部６３は、リモコン５０から送られた空気調和装置１の試運転情報に基づいて、試運転の結果を判定する機能を備えている。
【００３８】
端末装置５は、各室内機３毎に、外気温に応じた室内機３の吹出差温、室内側過熱度、室内膨張弁２２の開度のしきい値をあらかじめテーブルとして記憶している。
図６は、このようなしきい値を定めたテーブルの一例を示した図である。
図６のテーブルに示すように、外気温に応じた室内機３の吹出差温、室内側過熱度、室内膨張弁２２の開度のしきい値をあらかじめ定めておく。
【００３９】
そして、端末装置５の端末制御部６３は、リモコン５０から送られる試運転情報を取得し、試運転情報をテーブルで設定された閾値とを比較することにより、試運転情報による吹出差温、室内側過熱度、室内膨張弁２２の開度がテーブルで設定されたしきい値の範囲内にあるか否かを判断する。
端末制御部６３は、試運転情報がテーブルのしきい値の範囲内にあると判断した場合は、試運転結果が正常であると判断し、しきい値の範囲外であると判断した場合は、試運転結果が異常（冷媒不足やファン・膨張弁の故障、施工ミス）であると判断する。
【００４０】
図７は、試運転情報に基づいて試運転の結果が正常と判断される場合の例を示す図である。
図７に示すように、外気温センサにより検出される外気温が３０℃以上の場合、室内機の吹出差温は−１〜＋１４℃の範囲であれば正常、室内過熱度は０〜３℃の範囲であれば正常、室内膨張弁の開度は０〜４８０パルスの範囲であれば正常となる。
また、室外機の冷媒の吐出温度は２５〜１００℃の範囲であれば正常、高圧圧力は１．０〜３．５ＭＰａの範囲であれば正常、低圧圧力は０．１〜１．６ＭＰａの範囲であれば正常、一次電流は、０〜２７Ａの範囲であれば正常、圧縮機の駆動周波数は２０〜９５Ｈｚの範囲であれば正常となる。
図７の例の場合、取得した試運転情報がすべて範囲内にあるので、試運転の結果は正常であると判断される。
【００４１】
そして、試運転の結果が異常であると判断した場合に、本実施形態においては、端末制御部６３は、圧縮機１０の吐出側の高圧圧力が高いと判断した場合は、室外送風ファン１４の故障あるいはエアショートなどが要因である旨、端末表示部６０に表示させる。
また、圧縮機１０の吸込側の低圧圧力が低いと判断した場合は、室外送風ファン１４の故障、エアショート、冷媒配管の接続ミスあるいは室内膨張弁２２の動作不良などが要因である旨、端末表示部６０に表示させる。
さらに、冷媒の過不足と判断した場合は、冷媒の充填量を確認する旨、端末表示部６０に表示させる。警報発報となった場合は、警報内容に合った是正処置を行う旨、端末表示部６０に表示させる。
なお、これら端末表示部６０の表示内容は、単なる一例であり、必要に応じて種々変更が可能である。
【００４２】
次に、本実施形態の動作について、図８に示すフローチャートを参照して説明する。
まず、使用者が試運転ボタンを操作することにより（ＳＴ１）、リモコン制御部５５から室内制御部４０および室外制御部３０に運転制御信号を送り、室内機３および室外機２を駆動制御して、試運転運転を開始する（ＳＴ２）。
【００４３】
リモコン制御部５５は、室外制御部３０と通信することで、室外機２が安定運転となったか否かを判断し（ＳＴ３）、室外機２の運転が安定したと判断した場合（ＳＴ３：ＹＥＳ）、リモコン制御部５５は、室外制御部３０に情報要求を行い、室外制御部３０から、システム情報および圧縮機１０の駆動周波数、冷媒の低圧圧力、高圧圧力、冷媒の吐出温度などの試運転情報を取得する（ＳＴ４）。
また、リモコン制御部５５は、室内機３から、室内機３の吹出温度情報、室内冷媒温度センサ４１による冷媒温度情報、室内膨張弁２２の開度情報を取得する（ＳＴ５）。
【００４４】
リモコン制御部５５は、システム情報および試運転情報を端末装置５に送信し（ＳＴ６）、端末制御部６３は、試運転情報をテーブルで設定されたしきい値と比較し、試運転情報による吹出差温、室内側過熱度、室内膨張弁２２の開度がテーブルで設定されたしきい値の範囲内にあるか否かを判断する（ＳＴ７）。
そして、端末制御部６３は、試運転情報がしきい値内にある場合は（ＳＴ７：ＹＥＳ）、試運転結果が正常であると判断し（ＳＴ８）、試運転を終了し（ＳＴ９）、試運転結果を端末表示部６０に表示させる（ＳＴ１０）。
一方、端末制御部６３は、試運転情報がしきい値内にない場合は（ＳＴ７：ＮＯ）、試運転結果が異常であると判断し（ＳＴ１１）、試運転結果が異常となった要因を端末表示部６０に表示させる（ＳＴ１２）。
【００４５】
以上述べたように、本実施形態においては、リモコン制御部５５（機器制御部）と、リモコン表示部５２（発光部）とを備えたリモコン５０（機器）と、端末制御部６３と、リモコン５０のリモコン表示部５２との可視光通信を行うカメラ６１（受光部）と、端末表示部６０とを備えた端末装置５と、を備え、端末装置５は、リモコン制御部５５がリモコン表示部５２の発光制御を行うことで、リモコン表示部５２から可視光通信により送られる試運転情報をカメラ６１で受信して試運転情報を取得し、端末制御部６３は、試運転情報に基づいて試運転結果が正常か否かを判断し、この試運転結果の判断結果を端末表示部６０に表示させる。
これによれば、空気調和装置１の試運転の結果を端末装置５の端末表示部６０に表示させることができるので、メンテナンス作業者は試運転の結果を容易に認識することができる。しかも、リモコン５０と端末装置５との通信に可視光通信を用いるようにしているので、別個な通信機器を設置する必要がなく、製造コストが増大することもない。
【００４６】
また、本実施形態においては、端末装置５は、試運転結果が正常か否かを判断するためのしきい値を定めたテーブルを備え、端末制御部６３は、テーブルのしきい値に基づいて、試運転情報に基づいて試運転結果が正常か否かを判断する。
これによれば、テーブルにより容易に試運転結果が正常か否かを判断することができる。
【００４７】
また、本実施形態においては、端末制御部６３は、試運転情報がしきい値内になく、試運転結果が異常であると判断した場合は、試運転結果が異常となった要因を端末表示部６０に表示させる。
これによれば、試運転結果が異常となった要因を表示するので、メンテナンス作業者が試運転結果が異常となった要因を把握することができ、異常となった箇所に集中してメンテナンスを行うことができる。その結果、メンテナンス作業者の経験にかかわらず、的確な作業を行うことができ、さらに、メンテナンス作業を効率よく行うことができる。
【００４８】
また、本実施形態においては、端末装置５と通信可能なクラウドサーバ６を備え、端末装置５は、試運転の結果をクラウドサーバ６に送り、クラウドサーバ６は、試運転の結果を記憶する。
これによれば、クラウドサーバ６に試運転の結果を蓄積することができる。
【００４９】
なお、本発明の実施形態について図面に基づいて説明したが、本発明は、前記実施形態に限られるものではなく、発明の要旨を逸脱しない範囲で変更可能である。
例えば、前記実施形態においては、機器として空気調和装置１のリモコン５０を用いた場合について説明したが、本発明はこれに限定されない。例えば、発光可能な表示部を備えた機器であれば、いずれの機器にも適用することができる。
また、前記実施形態においては、発光部として、リモコン５０のリモコン表示部５２を用いた場合について説明したが、本発明はこれに限定されない。例えば、リモコン５０の表示部ランプを発光部として利用するようにしてもよい。また、室内機３の化粧パネル２３に設けられ室内機３の運転状態を表示するための表示ランプ５４を発光部として用いるようにしてもよい。この場合には、機器制御部として室内制御部４０を用いるようにすればよい。
また、前記実施形態においては、リモコンと端末装置との通信を可視光通信を用いて行う場合の例を用いて説明したが、本発明はこれに限定されない。例えば、ＮＦＣ（Near Field Communication）やＢｌｕｅｔｏｏｔｈ（登録商標）などの近距離無線通信を用いて、通信を行うようにしてもよい。
さらに、前記実施形態においては、端末装置により、試運転結果が正常か否かを判断するようにしているが、これに限定されず、例えば、通常の運転結果が正常か否かを判断するようにしてもよい。
また、前記実施形態においては、機器制御部として、リモコン制御部５５を用いた場合について説明したが、本発明はこれに限定されない。例えば、空気調和装置１の室外制御部３０、室内制御部４０およびリモコン制御部５５を統括して管理する統合コントローラが設けられている場合には、この統合コントローラを機器制御部として用いるようにしてもよい。
【００５０】
また、前記実施形態においては、端末装置５として、スマートフォンまたはタブレット端末を用いた場合について説明したが、本発明はこれに限定されない。例えば、クラウドサーバ６との通信が可能な専用の端末装置５を用いるようにしてもよい。この場合は、受光部としてカメラ６１ではなく、受光センサを用いるようにしてもよい。
さらに、サーバはクラウドサーバ６でなくても、例えば、機器の管理会社のサーバなど、端末装置５が通信可能であれば、いずれのサーバを用いるようにしてもよい。
【符号の説明】
【００５１】
１  空気調和装置
２  室外機
３  室内機
５  端末装置
６  クラウドサーバ
１０  圧縮機
１４  室外送風ファン
１５  室外熱交換器
１６  室外膨張弁
２０  室内送風ファン
２１  室内熱交換器
２２  室内膨張弁
３０  室外制御部
３１  低圧センサ
３２  高圧センサ
３３  室外冷媒温度センサ
３４  外気温センサ
４０  室内制御部
４１  室内冷媒温度センサ
４２  室温センサ
５０  リモコン
５２  リモコン表示部
５４  表示ランプ
５５  リモコン制御部
６０  端末表示部
６１  カメラ
６２  端末操作部
６３  端末制御部
【図１】
2018197617.tif 000003
【図２】
2018197617.tif 000004
【図３】
2018197617.tif 000005
【図４】
2018197617.tif 000006
【図５】
2018197617.tif 000007
【図６】
2018197617.tif 000008
【図７】
2018197617.tif 000009
【図８】
2018197617.tif 000010